(57)【要約】【課題】ゴルフスイング時に、例えば右利きの人の場合、左手の親指と人差し指とを、その付け根部分において互いに密着させることが好ましいが、特に初心者や経験の浅い人とっては比較的困難であったり、うっかり忘れてしまったりする場合があった。【解決手段】左手に着用するゴルフ用グローブ１の親指部２と人差し指部３との互いに対向する付け根部分４を点線で示す所定の長さだけ縫合によって結合する。【選択図】　　　　図１
2004065890.tif 000002
【特許請求の範囲】
【請求項１】
少なくともゴルフクラブをグリップする際に着用するゴルフ用グローブにおいて、
親指部と人差し指部との互いに対向する付け根部分を結合したことを特徴とするゴルフ用グローブ。
【請求項２】
少なくともゴルフクラブをグリップする際に着用するゴルフ用グローブにおいて、
親指部と人差し指部との互いに対向する付け根部分を、結合と分離が可能に構成したことを特徴とするゴルフ用グローブ。
【請求項３】
結合部にマジックテープを用いたことを特徴とする請求項２記載のゴルフ用グローブ。
【請求項４】
結合部に留め具を用いたことを特徴とする請求項２記載のゴルフ用グローブ。
【請求項５】
少なくともゴルフクラブをグリップする際に着用するゴルフ用グローブにおいて、
手の平部又は手の甲部の、どちらか一方で一端部が固定され、他方で他端部が着脱自在に係止される拘束バンドを有し、
着用時に、該拘束バンドを親指部の外側を回して係止することによって、親指部と人差し指部との互いに対向する付け根部分を圧接可能としたことを特徴とするゴルフ用グローブ。
【請求項６】
前記拘束バンドを弾性素材で形成したことを特徴とする請求項５記載のゴルフ用グローブ。
【発明の詳細な説明】
【０００１】
【発明の属する技術分野】
本発明は、ゴルフ用グローブに関し、特にスイング時の好ましいグリップの形を維持するのに適したゴルフ用グローブに関する。
【０００２】
【従来の技術】
通常、ゴルフ用グローブは、利き腕ではない方の手（右利きの場合左手）に着用され、親指、人差し指、中指、薬指、小指の各指と、手の甲、及び手の平の各部の表面に密着してこれらを覆うように、皮等の材料で袋状に形成され、更に各指が自由に動く様に、各指の収納部は、手の形状に則して互いに分離している。
【０００３】
一方、図５は、ゴルフスイング時の好ましいグリップ方法を示す図である。同図に示すように、クラブのシャフト５０ａをグリップする際には、特に左手６１の親指６２と人差し指６３とを、その付け根部分（点線の円で囲んだ部分）において互いに密着させることが好ましい。
【０００４】
このように、密着させることによって、図６に示すトップスイング時に、クラブ５０が矢印Ａ方向にふら付いたり、フェイスの向きが狂うのを抑制することができ、身体の回転がクラブにしっかり伝わって安定したスイングを行うことができる。
【０００５】
【発明が解決しようとする課題】
従来のグローブを着用した場合、親指と人差し指とは互いに自由に動けるため、特に初心者や経験の浅い人とって、図５に示すように、シャフト５０ａをグリップする際に、左手６１の親指６２と人差し指６３とを、上記したようにその付け根の部分で互いに密着させることが比較的困難であったり、うっかり忘れてしまったりする場合があった。
【０００６】
本発明の目的は、これらの問題点を解消し、初心者や経験の浅い人にとっても、比較的容易に好ましいグリップでスイングし、或いは好ましいグリップをするように意識させることのできるゴルフ用グローブを提供することにある。
【０００７】
【課題を解決するための手段】
請求項１のゴルフ用グローブでは、少なくともゴルフクラブをグリップする際に着用するゴルフ用グローブにおいて、親指部と人差し指部との互いに対向する付け根部分を結合したことを特徴とする。
【０００８】
請求項２のゴルフ用グローブでは、少なくともゴルフクラブをグリップする際に着用するゴルフ用グローブにおいて、親指部と人差し指部との互いに対向する付け根部分を、結合と分離が可能に構成したことを特徴とする。
【０００９】
請求項５のゴルフ用グローブでは、少なくともゴルフクラブをグリップする際に着用するゴルフ用グローブにおいて、手の平部又は手の甲部の、どちらか一方で一端部が固定され、他方で他端部が着脱自在に係止される拘束バンドを有し、着用時に、該拘束バンドを親指部の外側を回して係止することによって、親指部と人差し指部との互いに対向する付け根部分を圧接可能としたことを特徴とする。
【００１０】
【発明の実施の形態】
実施の形態１．
図１は、本発明による実施の形態１のゴルフ用グローブ１の外観図であり、同図（ａ）は、このゴルフ用グローブ１を人の左手に着用して広げた状態を示し、同図（ｂ）は、このグローブ１を着用した左手によってゴルフクラブのシャフトをグリップするときの状態を示している。
【００１１】
同図に示すように、ゴルフ用グローブ１は、左手（上方からみて、スイング時に左回りに旋回する人の場合）に着用され、親指、人差し指、中指、薬指、小指の各指と、手の甲、及び手の平の各部の表面に密着してこれらを覆うように、皮等の材料で袋状に形成され、更に後述する一部を除いて各指が自由に動く様に、各指の収納部が、手の形状に則して互いに分離している。
【００１２】
本実施の形態１によるゴルフ用グローブ１は、その親指を収納する部分（以下、単に親指部と称す）２と、人差し指を収納する部分（以下、単に人差し指部と称す）３との互いに対向する付け根部分４が、同図に点線で示す所定の長さだけ縫合によって結合した状態となっている。
【００１３】
以上のように、実施の形態１のゴルフ用グローブ１によれば、親指部と人差し指部との互いに対向する付け根部分が結合しているため、初心者や経験を浅い人とっても、ゴルフスイング時の好ましいグリップ状態を保つことができる。従って、前記したようにトップスイング時に、図６に示すようにクラブ５０が矢印Ａ方向にふらついたり、フェイスの向きが狂うのを抑制することができ、身体の回転がクラブにしっかり伝わって安定したスイングを行うことができる。
【００１４】
実施の形態２．
図２は、本発明による実施の形態２のゴルフ用グローブ１０の外観図である。
本実施の形態２のゴルフ用グローブ１０が、図１に示す実施の形態１のゴルフ用グローブ１に対して異なる点は、親指部２と人差し指部３との互いに対向する付け根部分の結合方法のみである。従って、共通する他の部分の説明は省略し、異なる点を重点的に説明する。
【００１５】
図２に示すように、ゴルフ用グローブ１０では、親指部２と人差し指部３との互いに対向する付け根部分に、一方がフック状で他方がパイル状に形成された各接合部を有するマジックテープ１１，１２がそれぞれ配設されている。
【００１６】
以上の構成により、ゴルフスイング時に、クラブのシャフトをグリップする際には、マジックテープ１１，１２を接合し、その他の時には、必要に応じてこれらを離間した状態とする。
【００１７】
以上のように、実施の形態２のゴルフ用グローブ１０によれば、前記した実施の形態１のゴルフ用グローブ１と同様の効果が得られる以外に、バックを持つ、コップをとる等のプレー以外の動作時に、いちいちグローブを外すことなく処理することが可能となる。
【００１８】
実施の形態３．
図３は、本発明による実施の形態３のゴルフ用グローブ１４の外観図である。
本実施の形態３のゴルフ用グローブ１４が、図１に示す実施の形態１のゴルフ用グローブ１に対して異なる点は、親指部２と人差し指部３との互いに対向する付け根部分の結合方法のみである。従って、共通する他の部分の説明は省略し、異なる点を重点的に説明する。
【００１９】
図３に示すように、ゴルフ用グローブ１４では、親指部２と人差し指部３との互いに対向する付け根部分に、２対の留め具１５，１６が配設されている。これらの留め具１５，１６は、それぞれ対向する金具を押圧することで結合した状態を保ち、適度の力で分離できる通常ホックと称されるものである。
【００２０】
以上の構成により、ゴルフスイング時に、クラブのシャフトをグリップする際には、各留め具１１，１２を結合して行ない。その他の時には、必要に応じてこれらをそれぞれ離間した状態とする。
【００２１】
以上のように、実施の形態３のゴルフ用グローブ１４によれば、前記した実施の形態１のゴルフ用グローブ１と同様の効果が得られる以外に、実施の形態２と同様の効果を得ることができる。
【００２２】
実施の形態４．
図４は、本発明による実施の形態４のゴルフ用グローブ２０の外観図であり、同図（ａ）は、このゴルフ用グローブ２０を人の左手に着用して広げた状態を示し、同図（ｂ）は、プレー時以外のグローブ２０の使用状態を示し、同図（ｃ）はゴルフクラブのシャフトをグリップする際の使用状態を示している。
【００２３】
本実施の形態４のゴルフ用グローブ２０が、図１に示す実施の形態１のゴルフ用グローブ１に対して異なる点は、親指部２と人差し指部３との互いに対向する付け根部分が結合されておらず、新たに束縛バンド２１を設けた点である。従って、共通する他の部分の説明は省略し、異なる点を重点的に説明する。
【００２４】
図４（ａ）に示すように、ゴルフ用グローブ２０では、手の平を覆う部分（以後、手の平部と称す）２０ａの、人差し指部３及び中指部５に続く部分に束縛バンド２１の一端部２１ａが固定されている。そして束縛バンド２１の先端部２１ｂには、一方がフック状で他方がパイル状とされるマジックテープの一方の接合部２４が配設されている。尚、束縛バンド２１は、グローブ本体と同素材で形成してもよいし、或いは伸縮可能な弾性を有する素材で形成しても良い。
【００２５】
一方、図４（ｃ）に示すように、ゴルフ用グローブ２０の手の甲を覆う部分（以後、手の甲部と称す）２０ｂの、人差し指部３及び中指部５に続く部分には、束縛バンド２１の先端部２１ｂを着脱自在に係止するためのマジックテープの他方の接合部２５が配設されている。尚、このマジックテープの他方の接合部２５は、機能性を高めるため、手の第３関節に相当する位置より手首側に配設するのが望ましい。
【００２６】
以上の構成において、ゴルフスイング時に、クラブのシャフトをグリップする際には、同図（ｃ）に示すように、ゴルフ用グローブ２０の親指部２と人差し指部３との互いに対向する付け根部分が圧接する様に、束縛バンド２１を矢印Ｂに添って親指部２の外側に回し、その先端部２１ｂを手の甲部２０ｂに係止する。
【００２７】
また、ゴルフスイング時以外には、必要に応じて図４（ｂ）に示すように、束縛バンド２１を親指部２と人差し指部３の間を介すようにしてその先端部２１ｂを手の甲部２０ｂに係止する。これによって親指部２と人差し指部３は互いに自由状態となる。
【００２８】
以上のように、実施の形態４のゴルフ用グローブ２０によれば、前記した実施の形態２或いは３のゴルフ用グローブ１と同様の効果が得られる以外に、親指と人差し指の付け根部における密着性を更に高めることができる。
【００２９】
尚、前記した実施の形態１のゴルフ用グローブ１では、親指部と人差し指部との互いに対向する付け根部分を縫合によって結合したが、これに限定されるものではなく、接着剤等によって結合してもよい。
【００３０】
また、前記した実施の形態２のゴルフ用グローブ１４では、親指部と人差し指部との互いに対向する付け根部分にマジックテープを設けたが、これに限定されるものではなく、同部分に先端方向が開くようにファスナーを設けても良い。
【００３１】
また、前記した実施の形態３のゴルフ用グローブ１４では、親指部と人差し指部との互いに対向する付け根部分に２対の留め具を設けたが、これに限定されるものではなく、１対或いは３対以上設けてもよい。
【００３２】
更に、前記した各実施の形態では、本発明を左手のゴルフ用グローブに採用する場合について説明したが、これに限定されるものではなく、上方からみて、スイング時に右回りに旋回する人の場合には、右手のゴルフ用グローブに採用してもよいなど種々の態様を取り得るものである。
【００３３】
【発明の効果】
請求項１のゴルフ用グローブによれば、親指部と人差し指部との互いに対向する付け根部分が結合しているため、初心者や経験を浅い人とっても、ゴルフスイング時の好ましいグリップ状態を保つことができる。従って、トップスイング時にクラブがふらついたり、フェイスの向きが狂うのを抑制することができ、身体の回転がクラブにしっかり伝わって安定したスイングを行うことができる。
【００３４】
請求項２乃至４のゴルフ用グローブによれば、請求項１のゴルフ用グローブと同様の効果が得られる以外に、バックを持つ、コップをとる等のプレー以外の動作時に、いちいちグローブを外すことなく処理することが可能となる。
【００３５】
請求項５，６のゴルフ用グローブによれば、請求項２乃至４のゴルフ用グローブと同様の効果を得ることが出来る以外に、親指と人差し指の付け根部における密着性を更に高めることができる。
【図面の簡単な説明】
【図１】本発明による実施の形態１のゴルフ用グローブ１の外観図であり、（ａ）は左手に着用して広げた状態を示し、（ｂ）はシャフトをグリップするときの状態を示している。
【図２】本発明による実施の形態２のゴルフ用グローブ１０の外観図である。
【図３】本発明による実施の形態３のゴルフ用グローブ１４の外観図である。
【図４】本発明による実施の形態４のゴルフ用グローブ２０の外観図であり、（ａ）は左手に着用して広げた状態を示し、（ｂ）はプレー時以外の使用状態を示し、（ｃ）はシャフトをグリップするときの状態を示している。
【図５】ゴルフスイング時の好ましいグリップ方法を説明するための説明図である。
【図６】ゴルフスイング時の好ましいグリップ方法を説明するための説明図で、トップスイング時の様子を示している。
【符号の説明】
１　ゴルフ用グローブ、　２　親指部、　３　人差し指部、　４　付け根部分、　５　中指部、　１０　ゴルフ用グローブ、　１１，１２　マジックテープ、１４　ゴルフ用グローブ、　１５，１６　留め具、　２０　ゴルフ用グローブ、　２０ａ　手の平部、　２１　束縛バンド、　２１ａ　一端部、　２１ｂ　先端部、　２４　マジックテープの一方の接合部、　２５　マジックテープの他方の接合部、　５０　クラブ、　５０ａ　シャフト、　６１　左手、　６２　親指、　５３　人差し指。
【図１】
2004065890.tif 000003
【図２】
2004065890.tif 000004
【図３】
2004065890.tif 000005
【図４】
2004065890.tif 000006
【図５】
2004065890.tif 000007
【図６】
2004065890.tif 000008